(57)【特許請求の範囲】
【請求項１】
電気接続用の被接続コネクタと被係合手段とを収納空間内に有する印刷装置本体と、上記収納空間に着脱自在であって上記被接続コネクタに接離する移動可能なコネクタ及び上記被係合手段と係脱する移動可能な固定手段を有していてマスタが巻き付けられる印刷ドラムを回転自在に支持する印刷ドラムユニットとを具備し、上記印刷ドラムユニットが上記収納空間内の所定位置に挿入された後に上記固定手段を移動させて上記被係合手段に係合させることにより上記印刷ドラムユニットを上記所定位置に固定することが可能な孔版印刷装置であって、
上記固定手段が上記被係合手段より離脱しているときにはその作動により上記印刷装置本体の作動を停止させる安全装置を具備し、上記被係合手段に対する上記固定手段の移動による係脱動作に連動させて、上記固定手段が上記被係合手段に係合するときには上記被接続コネクタと接続するように上記コネクタを移動させると共に上記安全装置の作動を解除させ、上記固定手段が上記被係合手段より離脱するときには上記被接続コネクタとの接続を解除させるように上記コネクタを移動させると共に上記安全装置を作動させることを特徴とする孔版印刷装置。
【請求項２】
上記印刷ドラムユニットが上記印刷ドラムの回転を規制する移動可能な回り止め機構を有し、上記被係合手段に対する上記固定手段の移動による係脱動作に連動させて上記回り止め機構を移動させ、上記固定手段が上記被係合手段に係合するときには上記印刷ドラムの回転を許容し、上記固定手段が上記被係合手段より離脱するときには上記印刷ドラムの回転を禁止することを特徴とする請求項１記載の孔版印刷装置。
【請求項３】
電気接続用の被接続コネクタと被係合手段とを収納空間内に有する印刷装置本体と、上記収納空間に着脱自在であって上記被接続コネクタに接離する移動可能なコネクタ及び上記被係合手段と係脱する移動可能な固定手段を有していてマスタが巻き付けられる印刷ドラムを回転自在に支持する印刷ドラムユニットとを具備し、上記印刷ドラムユニットが上記収納空間内の所定位置に挿入された後に上記固定手段を移動させて上記被係合手段に係合させることにより上記印刷ドラムユニットを上記所定位置に固定することが可能な孔版印刷装置であって、
上記印刷ドラムユニットが上記印刷ドラムの回転を規制する移動可能な回り止め機構を有し、上記被係合手段に対する上記固定手段の移動による係脱動作に連動させて、上記固定手段が上記被係合手段に係合するときには上記被接続コネクタと接続するように上記コネクタを移動させると共に上記印刷ドラムの回転を許容すべく上記回り止め機構を移動させ、上記固定手段が上記被係合手段より離脱するときには上記被接続コネクタとの接続を解除させるように上記コネクタを移動させると共に上記印刷ドラムの回転を禁止すべく上記回り止め機構を移動させることを特徴とする孔版印刷装置。
【発明の詳細な説明】
【０００１】
【発明の属する技術分野】
本発明は、印刷ドラムの外周面上に製版済みマスタを巻装して印刷を行う孔版印刷装置に関する。
【０００２】
【従来の技術】
従来の孔版印刷装置は、図５，６に示すように、開孔部５４を有する筐枠体状の印刷装置本体５０と、開孔部５４の内方に設けられた収納空間５２と、収納空間５２に収納される印刷ドラムユニット６０とから主に構成されている。
【０００３】
印刷装置本体５０の収納空間５２の両側方に位置する部位には、収納空間５２内に突出して係止用のピン５３，５３が設けられており（一方のみ図示）、また、印刷装置本体５０の収納空間５２の上部に位置する部位には、印刷ドラムユニット６０の挿入を案内する案内レール５５が設けられている。
【０００４】
印刷ドラムユニット６０の、ユニット取付方向（版胴軸方向）における前後部には、側壁６１ａ，６１ｂを有する前壁枠体６１と後壁枠体６２とが設けられており（後壁枠体６２は図６を参照）、各壁枠体６１，６２間には、その外周面上にマスタを巻装する多孔性円筒状の印刷ドラム７０が回転自在に支持されている。各壁枠体６１，６２の上部には、案内レール５５に挿入されるレール体６３が、各壁枠体６１，６２を一体的に繋ぐべく設けられている。
【０００５】
側壁６１ａ，６１ｂには、その中心部を回動軸７７に回転自在に支持されたアーム部材７４，７４が設けられており（一方のみ図示）、各アーム部材７４，７４の下方の自由端部７４ａ，７４ａには、略Ｕ字状の係止部がそれぞれ形成されている。また、各アーム部材７４，７４の上方の自由端部７４ｂ，７４ｂには、曲面状を呈したカム面７５，７５と、それに繋がる切り欠き７６，７６とがそれぞれ形成されている。各回動軸７７，７７には、アーム部材７４に、図５において時計回り方向（ユニット引き出し方向）の回動付勢力を付与するスプリング７８，７８がそれぞれ設けられている。
【０００６】
さらに、各側壁６１ａ，６１ｂには、腕部８２，８３を有する回動自在なストッパーレバー８１が設けられている（一方のみ図示）。各ストッパーレバー８１，８１は、各腕部８２，８２が各切り欠き７６，７６に対して係脱可能な位置に配設されており、各腕部８３，８３は各側壁６１ａ，６１ｂの上部に延出し、その端部８４，８４には、引き出しレバー８８が固着されている。また、各腕部８３，８３の端部と各側壁６１ａ，６１ｂとの間には、ストッパーレバー８１，８１に、図５において反時計回り方向（ユニット押し込み方向）の回動付勢力を付与するスプリング８５，８５が掛け渡されている。
【０００７】
前壁枠体６１の後部に一体的に設けられた後板６１ｃの上部には、腕部９２ａ，９２ｂを有する略Ｌ字状のドラムストッパー９２が回動自在に設けられている。腕部９２ａは収納空間５２より突出するように設けられており、印刷ドラムユニット６０が印刷装置本体５０に装着されたときに開口部５４と当接する位置に配置されている。腕部９２ｂは収納空間５２内に延出するように設けられており、印刷ドラムユニット６０が印刷装置本体５０に装着されたときに印刷ドラム７０の側板に近接する位置に配置されている。ドラムストッパー９２には、図示しないスプリングによって反時計回り方向（ドラム押し込み方向）への回動付勢力が付与されている。
【０００８】
前壁枠体６１側の印刷ドラム７０の側板の外側には、Ｖ溝を有するドラムロック部材９５が固設されている。ドラムロック部材９５は、印刷ドラム７０がホームポジションで停止したときに腕部９２ｂと係合可能な位置に配置されている。
【０００９】
図６に示すように、後壁枠体６２には、印刷装置本体側の制御基板（図示せず）と接続されたコネクタ９９が固着されている。また、収納空間５２の最奥部に位置する印刷装置本体５０には、コネクタ９９と着脱自在であって印刷装置本体５０に回転自在に支持されたブラケット１０１に固着された、印刷ドラム７０内の非回転部の電装部品（図示せず）と接続された被接続コネクタ１００が配設されている。ブラケット１０１の上部にはリンク１０２の一端が枢着されており、リンク１０２の他端は開孔部５４の近傍に回動自在に設けられたコネクタ着脱レバー１０３の自由端部に枢着されている。
【００１０】
上記構成により、印刷ドラムユニット６０を印刷装置本体５０に装着するときには、レール体６３を案内レール５５に挿入し、印刷ドラムユニット６０を収納空間５２内に押し込むことによりピン５３と自由端部７４ａとが当接し、アーム部材７４がスプリング７８の付勢力に抗して反時計回り方向に回動される。この回動により、ピン５３と自由端部７４ａの係止部とが係合すると共に切り欠き７６と腕部８２とが係合して、印刷ドラムユニット６０が印刷装置本体５０に対して位置決めされる。また、腕部９２ａが開孔部５４に当接してドラムストッパー９２が時計回り方向に回動されることにより、腕部９２ｂとドラムロック部材９５のＶ溝との係合が解除されて印刷ドラム７０が回転自在となる。
【００１１】
この後、図６の矢印とは逆の向きにコネクタ着脱レバー１０３が押し下げられると、ブラケット１０１が図６の矢印方向とは逆向きに回動して被接続コネクタ１００がコネクタ９９に接続され、印刷ドラム７０内の電装部品と印刷装置本体側の制御基板とが電気的に接続される。
【００１２】
印刷ドラム７０がホームポジションで停止した後に印刷ドラムユニット６０を印刷装置本体より抜脱するときには、先ず、コネクタ着脱レバー１０３を図６の矢印方向に引き上げる。これによりブラケット１０１が図６の矢印方向に回動し、被接続コネクタ１００がコネクタ９９より離脱する。
【００１３】
その後、引き出しレバー８８が手前側に引かれると、ストッパーレバー８１がスプリング８５の付勢力に抗して時計回り方向に回動される。この回動により、切り欠き７６と腕部８２との係合が解除されてアーム部材７４がスプリング７８の付勢力を受ける状態となり、印刷ドラムユニット６０の収納空間５２からの引き出し動作に伴ってアーム部材７４が時計回り方向に回動し、ピン５３と自由端部７４ａとの係合が解除される。また、図示しないスプリングの付勢力によってドラムストッパー９２が反時計回り方向に回動されることにより、腕部９２ｂがドラムロック部材９５のＶ溝に係合して印刷ドラム７０が回り止めされる。
【００１４】
【発明が解決しようとする課題】
上述のように従来の孔版印刷装置では、ピン５３，５３、アーム部材７４，７４、ストッパーレバー８１，８１からなる印刷ドラムユニット６０の定位置停止機構と、被接続コネクタ１００とコネクタ９９とのコネクタ着脱機構が独立して設けられているので、印刷ドラムユニット６０の着脱動作を行う際に両機構を別々に操作しなけばならず、操作が面倒であり、また、機構が独立しているためにコストアップしてしまうという問題点がある。
【００１５】
本発明は、印刷装置本体に対する印刷ドラムユニットの脱着機構とコネクタ着脱機構とを一体化させ、操作の簡易化と低コスト化とを実現できる孔版印刷装置の提供を目的とする。
【００１６】
【課題を解決するための手段】
請求項１記載の発明は、電気接続用の被接続コネクタと被係合手段とを収納空間内に有する印刷装置本体と、上記収納空間に着脱自在であって上記被接続コネクタに接離する移動可能なコネクタ及び上記被係合手段と係脱する移動可能な固定手段を有していてマスタが巻き付けられる印刷ドラムを回転自在に支持する印刷ドラムユニットとを具備し、上記印刷ドラムユニットが上記収納空間内の所定位置に挿入された後に上記固定手段を移動させて上記被係合手段に係合させることにより上記印刷ドラムユニットを上記所定位置に固定することが可能な孔版印刷装置であって、上記固定手段が上記被係合手段より離脱しているときにはその作動により上記印刷装置本体の作動を停止させる安全装置を具備し、上記被係合手段に対する上記固定手段の移動による係脱動作に連動させて、上記固定手段が上記被係合手段に係合するときには上記被接続コネクタと接続するように上記コネクタを移動させると共に上記安全装置の作動を解除させ、上記固定手段が上記被係合手段より離脱するときには上記被接続コネクタとの接続を解除させるように上記コネクタを移動させると共に上記安全装置を作動させることを特徴とする。
【００１７】
請求項２記載の発明は、請求項１記載の孔版印刷装置において、さらに、上記印刷ドラムユニットが上記印刷ドラムの回転を規制する移動可能な回り止め機構を有し、上記被係合手段に対する上記固定手段の移動による係脱動作に連動させて上記回り止め機構を移動させ、上記固定手段が上記被係合手段に係合するときには上記印刷ドラムの回転を許容し、上記固定手段が上記被係合手段より離脱するときには上記印刷ドラムの回転を禁止することを特徴とする。
【００１８】
請求項３記載の発明は、電気接続用の被接続コネクタと被係合手段とを収納空間内に有する印刷装置本体と、上記収納空間に着脱自在であって上記被接続コネクタに接離する移動可能なコネクタ及び上記被係合手段と係脱する移動可能な固定手段を有していてマスタが巻き付けられる印刷ドラムを回転自在に支持する印刷ドラムユニットとを具備し、上記印刷ドラムユニットが上記収納空間内の所定位置に挿入された後に上記固定手段を移動させて上記被係合手段に係合させることにより上記印刷ドラムユニットを上記所定位置に固定することが可能な孔版印刷装置であって、上記印刷ドラムユニットが上記印刷ドラムの回転を規制する移動可能な回り止め機構を有し、上記被係合手段に対する上記固定手段の移動による係脱動作に連動させて、上記固定手段が上記被係合手段に係合するときには上記被接続コネクタと接続するように上記コネクタを移動させると共に上記印刷ドラムの回転を許容すべく上記回り止め機構を移動させ、上記固定手段が上記被係合手段より離脱するときには上記被接続コネクタとの接続を解除させるように上記コネクタを移動させると共に上記印刷ドラムの回転を禁止すべく上記回り止め機構を移動させることを特徴とする。
【００１９】
【実施例】
以下、本発明の一実施例を図１ないし図３に基づいて説明する。
図１ないし図３において、従来の孔版印刷装置と同じ部材については同じ符号を付すに止め、詳細な説明は省略する。
【００２０】
印刷装置本体５０には、被係合手段である係止用のピン５３と、印刷装置本体側の制御基板（図示せず）と接続された電気接続用の被接続コネクタ１０とが、収納空間５２内に突出して設けられている。
【００２１】
印刷ドラムユニット６０は、印刷装置本体５０との着脱時において、印刷装置本体側に固着されたピン５３とコネクタ１０とに干渉しないようにその側部が切り欠かれており、前壁枠体６１の、ピン５３と被接続コネクタ１０に対応する部分には窓２０が設けられ、印刷装置本体５０への装着時に、窓２０にピン５３と被接続コネクタ１０とが進入するように構成されている。
【００２２】
前壁枠体６１の側壁６１ｂの内側には、側壁６１ｂに植設された一対の支持軸２，３に長穴４を嵌合させ、ユニット着脱方向にスライド自在に設けられたコネクタ脱着用のスライド部材５が配設されている。スライド部材５は、その一端を窓２０側に向けて進退自在に設けられており、スライド部材５の窓２０側の端部には、被接続コネクタ１０に対して着脱可能な、印刷ドラム７０内の非回転部の電装部品（図示せず）と接続されたコネクタ３０が固着されている。スライド部材５の上下部には、上歯６と下歯７とが形成されている。
【００２３】
側壁６１ｂの、スライド部材５配設位置の下方には、側壁６１ｂに回転自在に支持されたピニオン８が配設されている。ピニオン８は、その上部周面においてスライド部材５の下歯７と噛合している。
【００２４】
側壁６１ｂの、ピニオン８配設位置の下方には、側壁６１ｂに植設された一対の支持軸１２，１３に長穴１４を嵌合させ、ユニット着脱方向にスライド自在に設けられた回り止め用のスライド部材１５が配設されている。スライド部材１５は、その一端を窓２０の下方に形成された窓２１より進退自在に設けられており、その窓２１側の端部を前壁枠体６１よりも印刷ドラム７０側に突出可能に配設されている。スライド部材１５の上部には歯１６が形成されており、歯１６にはピニオン８の下部周面が噛合している。
【００２５】
側壁６１ｂの、スライド部材５配設位置の上方であってピン５３突出位置の側方には、側壁６１ｂに植設された支軸４１によって回動自在に支持された、固定手段としての扇形状のセクターギヤ４０が配設されている。セクターギヤ４０は円弧周面に歯４２を有しており、歯４２がスライド部材５の上歯６と噛合する位置に配設されている。セクターギヤ４０のピン５３側の側縁部には、ピン５３に係合可能な切り欠き４３が形成されている。切り欠き４３は、セクターギヤ４０を図１において時計回り方向に回動させたときに、係止用のピン５３に係合して印刷ドラムユニット６０を印刷装置本体５０に対して固定するように構成されている。セクターギヤ４０のピン５３と対向する側の側縁部には、セクターギヤ４０と一体的に形成されたストッパーレバー４８が設けられている。
【００２６】
印刷ドラム７０の、前壁枠体６１側の側板の外側には、ロック係合孔９３が形成されている。ロック係合孔９３は、印刷ドラム７０がホームポジションで停止したときに、スライド部材１５の端部と係合可能な位置に配置されている。このロック係合孔９３と上述のスライド部材１５とによって回り止め機構が構成されている。
【００２７】
上記構成により、印刷ドラムユニット６０を印刷装置本体５０に装着するときには、レール体６３を案内レール５５に挿入し、印刷ドラムユニット６０を収納空間５２内に押し込み、ピン５３が側壁６１ｂの窓２０の溝部２０ａの端面に突き当たることによって、印刷装置本体５０に対する印刷ドラムユニット６０の所定位置が決められる。その後、ストッパーレバー４８を押し下げてセクターギヤ４０を支軸４１を中心に図１の時計回り方向に回動させる。この回動により、切り欠き４３とピン５３とが係合すると共にスライド部材５が左方（装置奥側）に、また、スライド部材１５が右方（装置手前側）に移動し、印刷ドラムユニット６０が印刷装置本体５０に対して位置決め固定されると共にコネクタ３０が被接続コネクタ１０に接続され、さらに、印刷ドラム７０の回り止めが解除される。ストッパーレバー４８は、印刷ドラムユニットが印刷装置本体５０の所定位置に位置決めされた押し下げられた状態において、収納空間５２内の開口部５４より突出しない位置に収納される。
【００２８】
印刷ドラム７０がホームポジションで停止した後に印刷ドラムユニット６０を印刷装置本体より抜脱するときには、ストッパーレバー４８を引き上げてセクターギヤ４０を支軸４１を中心に図１の反時計回り方向に回動させる。この回動により、切り欠き４３とピン５３との係合が解除すると共にスライド部材５が右方（装置手前側）に、また、スライド部材１５が左方（装置奥側）に移動してその端部がロック係合孔９３に嵌合し、印刷ドラムユニット６０の印刷装置本体５０に対する位置決めが解除されると共にコネクタ３０が被接続コネクタ１０より離脱され、さらに、印刷ドラム７０が回り止めされる。
【００２９】
図２、図３は、上記実施例の変形例をそれぞれ示している。
開口部５４には、図２、図３に示すように開閉自在のカバー４９が設けられている。カバー４９には、孔版印刷装置の稼働のオン・オフを制御する、安全装置としての図示しないマイクロスイッチのアクチュエータ７１が設けられている。
【００３０】
図２に示すように、印刷装置本体５０の所定位置に印刷ドラムユニット６０が収納された後、カバー４９が開口部５４を閉じたときは、アクチュエータ７１が押されることにより図示しないマイクロスイッチがオンされて孔版印刷装置の稼働をオンさせ、図３に示すように、印刷装置本体５０の所定の位置に印刷ドラムユニット６０が収納されずカバー４９が閉じられないときには、アクチュエータ７１が押されずに図示しないマイクロスイッチが働かず、孔版印刷装置の稼働をオフさせるように構成されている。
【００３１】
このような構成とすることにより、印刷ドラムユニット６０の装着が不完全な状態で印刷装置本体５０が作動することにより、印刷装置本体５０及び／または印刷ドラムユニット６０を損傷させてしまうという不具合を未然に防止することができる。
【００３２】
図４は、上記実施例の他の変形例を示している。この変形例は、上記実施例と比較すると、カバー４９と、図示しないマイクロスイッチのアクチュエータ７１とを設けた点、セクターギヤ４０に代えて、ピン５３と対向する側の側縁部に、回転自在なローラー４６を有するストッパーレバー４７を一体的に形成したセクターギヤ４５を用いる点、及びカバー４９に金属板４４を設けた点において相違している。
【００３３】
上記構成とすることにより、印刷ドラムユニット６０を印刷装置本体５０に取り付ける際には、印刷ドラムユニット６０を所定位置まで押し込んだ後にカバー４９を閉めることで、金属板４４がローラー４６に当接してストッパーレバー４７を押し下げ、印刷ドラムユニット６０の印刷装置本体５０への装着が行われる。
【００３４】
【発明の効果】
請求項１記載の発明によれば、被係合手段に対する固定手段の移動による係脱動作に連動させて、固定手段が被係合手段に係合するときには被接続コネクタと接続するようにコネクタを移動させると共に安全装置の作動を解除させ、固定手段が被係合手段より離脱するときには被接続コネクタとの接続を解除させるようにコネクタを移動させると共に安全装置を作動させるので、印刷装置本体に対する印刷ドラムユニットの着脱と被接続コネクタに対するコネクタの着脱とを同時に行うことができ印刷ドラムユニットの着脱操作を簡易化することができると共に、印刷装置本体に対する印刷ドラムユニットの装着が不完全であるときには安全装置が作動して印刷装置本体の作動を停止させるので印刷装置本体及び印刷ドラムユニットの破損を確実に防止することができる。また、コネクタ着脱用の機構を独立して設ける必要がなくコストダウンを図ることができる。
【００３５】
請求項２記載の発明によれば、請求項１記載の発明において、さらに、被係合手段に対する固定手段の移動による係脱動作に連動させて回り止め機構を移動させる構成としたので、印刷装置本体に対する印刷ドラムユニットの着脱と被接続コネクタに対するコネクタの着脱と印刷ドラムの回転規制とを同時に行うことができ、印刷ドラムユニットの着脱操作をより一層簡易化することができる。
【００３６】
請求項３記載の発明によれば、被係合手段に対する固定手段の移動による係脱動作に連動させて、固定手段が被係合手段に係合するときには被接続コネクタと接続するようにコネクタを移動させると共に印刷ドラムの回転を許容すべく回り止め機構を移動させ、固定手段が被係合手段より離脱するときには被接続コネクタとの接続を解除させるようにコネクタを移動させると共に印刷ドラムの回転を禁止すべく回り止め機構を移動させるので、印刷装置本体に対する印刷ドラムユニットの着脱と被接続コネクタに対するコネクタの着脱と印刷ドラムの回転規制とを同時に行うことができ、印刷ドラムユニットの着脱操作をより一層簡易化することができる。また、コネクタ着脱用の機構を独立して設ける必要がなくコストダウンを図ることができる。
【図面の簡単な説明】
【図１】本発明の一実施例を示す孔版式製版印刷装置の部分構成斜視図である。
【図２】本発明の一実施例の変形例における印刷ドラムユニットを印刷装置本体に収納固定した状態を示す図である。
【図３】本発明の一実施例の変形例における印刷ドラムユニットを印刷装置本体より離脱した状態を示す図である。
【図４】本発明の一実施例の他の変形例を示す図である。
【図５】従来の孔版式製版印刷装置の部分構成斜視図である。
【図６】従来の孔版式製版印刷装置の部分構成斜視図である。
【符号の説明】
５    コネクタ脱着用のスライド部材
８    ピニオン
１０    被接続コネクタ
１５    回り止め用のスライド部材
３０    コネクタ
４０    固定手段（セクターギヤ）
５０    印刷装置本体
５２    収納空間
５３    被係合手段（ピン）
６０    印刷ドラムユニット
７０    印刷ドラム
【図１】
0003856866.tif 000002
【図２】
0003856866.tif 000003
【図３】
0003856866.tif 000004
【図４】
0003856866.tif 000005
【図５】
0003856866.tif 000006
【図６】
0003856866.tif 000007